(57)【要約】      （修正有）【課題】商品としての完全性を担保しつつ，かつ，開封の有無を容易に判断しうる，スライダーバッグを提供する。【解決手段】スライダーバッグ１は，開閉可能な開口部２ａを有する袋体２と，開口部２ａに装着されたスライダー３と，を備え，スライダー３を開口部２ａに沿ってスライドさせることにより，開口部２ａを開け閉めすることが可能な構造となっている。スライダー３には，表面から裏面に貫通する第１貫通孔３ｅが穿設されている。また，袋体２には，表面から裏面に貫通する第２貫通孔が形成されている。そして，袋体２に商品を入れ，第１貫通孔３ｅが第２貫通孔に合致した状態で両貫通孔にロック部材６を貫通させることにより，スライダー３を，袋体２の開口部２ａにおける開口開始側近傍でロックできるようにされている。【選択図】図２
2019126448.tif 000002
【特許請求の範囲】
【請求項１】
開閉可能な開口部を有する袋体と，前記開口部に装着されたスライダーと，を備え，前記スライダーを前記開口部に沿ってスライドさせることにより，前記開口部を開け閉めすることが可能なスライダーバッグであって，
前記スライダーを表面から裏面に貫通する第１貫通孔と，
前記袋体を表面から裏面に貫通する第２貫通孔と，
前記第１貫通孔が前記第２貫通孔に合致した状態で両貫通孔を貫通するロック部材と，
を備えたことを特徴とするスライダーバッグ。
【請求項２】
前記第２貫通孔が，前記袋体の前記開口部における開口開始側近傍に設けられていることを特徴とする請求項１に記載のスライダーバッグ。
【請求項３】
前記ロック部材が，
前記第１及び第２貫通孔を貫通する直線部と，
前記直線部の両端において，前記第１及び第２貫通孔の通過を防止するための通過防止端部と，
を備えたことを特徴とする請求項１又は２に記載のスライダーバッグ。
【請求項４】
前記通過防止端部が線状に形成されていることを特徴とする請求項３に記載のスライダーバッグ。
【請求項５】
前記通過防止端部が，それぞれ嵌合凸部，嵌合凹部として構成されていることを特徴とする請求項３に記載のスライダーバッグ。
【発明の詳細な説明】
【技術分野】
【０００１】
本発明は，ロック式スライダーバッグに関する。
【背景技術】
【０００２】
スライダーバッグと称される，開閉可能な袋体がある（特許文献１）。
スライダーバッグは，スライダーを袋体の開口部に沿ってスライドさせることにより，袋体の開口部に設けられたファスナーが係脱し，これにより，開口部の開け閉めが可能な構成となっている。スライダーバッグは，食物を中心として様々なものを保存する用途に用いられる。
【先行技術文献】
【特許文献】
【０００３】
【特許文献１】特開２０１５−０１２９３１号公報
【発明の概要】
【発明が解決しようとする課題】
【０００４】
先行技術をはじめとして現在のスライダーバッグは，開口部の開け閉めが可能であり，繰り返し使用ができる点において，有用である。しかるに，これを商品の外装として販売する場合に，課題を有することを発明者は発見した。
すなわち，現在のスライダーバッグは，スライダーバッグを任意に開け閉めすることが可能であることから，販売前（商品陳列時）において，スライダーバッグを開けて自由に中身にアクセスすることが可能となる。そのため，例えば，悪意を持った何者かが，スライダーバッグを開けて中身の一部を抜き出したり，商品以外のものを入れたりして，再度スライダーバッグを閉めた場合，これが，不正が行われた商品であるかどうかを判別することはほとんど不可能である。
【０００５】
このような事情もあり，実務上，スライダーバッグを外装として用いて商品販売を行う場合，部分的にテープを貼付し，このような不正が起きることを防止している。しかるに，テープ貼付は，完全な手段とは言い難い。
すなわち，テープの貼付が部分的に留まることから，テープ貼付部分まではスライダーをスライドさせて，一部，開いた状態にすることが可能である。そのため，中身を抜き出したり，商品以外のものを入れたりすることが部分的には可能となってしまう。
また，テープ貼付を完全にすればするほど，購入後のテープを剥がす作業に手間がかかってしまい，商品としての取扱性を損なってしまう。
【０００６】
上記事情を背景として，本発明では，スライダーバッグを商品の外装として用いることを想起して，商品としての完全性を担保しつつ，かつ，開封の有無を容易に判断しうる，スライダーバッグの開発を課題とする。
【課題を解決するための手段】
【０００７】
発明者は，鋭意研究の結果，スライダーバッグのスライダー部分と袋体部分にそれぞれ貫通孔を設け，両貫通孔を合致させた状態で当該両貫通孔にストッパーとなるロック部材を貫通させる構成に想到し，発明を完成させたものである。
【０００８】
本発明は，以下の構成からなる。
本発明の第一の構成は，開閉可能な開口部を有する袋体と，前記開口部に装着されたスライダーと，を備え，前記スライダーを前記開口部に沿ってスライドさせることにより，前記開口部を開け閉めすることが可能なスライダーバッグであって，
前記スライダーを表面から裏面に貫通する第１貫通孔と，
前記袋体を表面から裏面に貫通する第２貫通孔と，
前記第１貫通孔が前記第２貫通孔に合致した状態で両貫通孔を貫通するロック部材と，
を備えたことを特徴とするスライダーバッグである。
【０００９】
本発明の第二の構成は，前記第２貫通孔が，前記袋体の前記開口部における開口開始側近傍に設けられていることを特徴とする第一の構成に記載のスライダーバッグである。
本発明の第三の構成は，前記ロック部材が，
前記第１及び第２貫通孔を貫通する直線部と，
前記直線部の両端において，前記第１及び第２貫通孔の通過を防止するための通過防止端部と，
を備えたことを特徴とする第一又は第二の構成に記載のスライダーバッグである。
本発明の第四の構成は，前記通過防止端部が線状に形成されていることを特徴とする第三の構成に記載のスライダーバッグである。
本発明の第五の構成は，前記通過防止端部が，それぞれ嵌合凸部，嵌合凹部として構成されていることを特徴とする第三の構成に記載のスライダーバッグである。
【発明の効果】
【００１０】
本発明により，商品としての完全性を担保しつつ，かつ，開封の有無を容易に判断しうる，スライダーバッグの提供が可能となった。
【図面の簡単な説明】
【００１１】
【図１】本発明の一実施の形態におけるスライダーバッグの各構成部材を示す図（ロック前の状態）
【図２】本発明の一実施の形態におけるスライダーバッグの構成を示す図（ロック後の状態）
【図３】本発明の一実施の形態におけるスライダーバッグのスライダー単体の構成を示す拡大六面図（ただし，正面図と右側面図は省略している）
【図４】本発明の一実施の形態におけるスライダーバッグに，ピンロックガンを用いてロック部材を取り付けている様子を示す図
【図５】本発明の一実施の形態におけるスライダーバッグの構成部材であるロック部材の他の構成を示す概略図
【発明を実施するための形態】
【００１２】
以下，好適な実施の形態を用いて本発明をさらに具体的に説明する。但し，下記の実施の形態は本発明を具現化した例に過ぎず，本発明はこれに限定されるものではない。
【００１３】
＜＜Ｉ．発明の要旨＞＞
本発明におけるスライダーバッグは，当該スライダーバッグにロック機構を設けることを特徴とする。そして，このロック機構の解除の有無を，目視で容易に確認することができることから，商品としての完全性が担保されているかどうかの確認が容易となるものである。
このような構成として，本発明のスライダーバッグは，開閉可能な開口部を有する袋体と，前記開口部に装着されたスライダーと，を備え，前記スライダーを前記開口部に沿ってスライドさせることにより，前記開口部を開け閉めすることが可能なスライダーバッグであって，前記スライダーを表面から裏面に貫通する第１貫通孔と，前記袋体を表面から裏面に貫通する第２貫通孔と，前記第１貫通孔が前記第２貫通孔に合致した状態で両貫通孔を貫通するロック部材と，を備えたことを特徴とする。
【００１４】
＜＜II．スライダーバッグの構成＞＞
本発明のスライダーバッグは，スライダー，袋体（バッグ）ならびにロック部材を必須の構成要素とする。以下，それぞれに分けて説明を行う。
【００１５】
［スライダー］
スライダーは，袋体の開口部を開け閉めすることが可能であり，かつ，後述するロック部材を貫通させるための第１貫通孔を備えるものである。スライダーは，これらの構成を備える限り，特に限定されるものではなく，種々の構成ないし形状のものを採用することができる。
【００１６】
第１貫通孔は，これを貫通するロック部材の形状ないし材質，製造方法など種々の要素を勘案したうえで，ロック部材に応じた形状ないし大きさとすればよく，特に限定されるものではない。第１貫通孔は，典型的には，図１（ａ）に示すような大きさの円孔とすればよい。
【００１７】
［袋体］
袋体は，後述するロック部材を貫通させるための第２貫通孔を備えるとともに，その基本的な機能として，対象物の出し入れ，ならびに保存を直接的に行うものである。
袋体は，これらの役割を果たす限り，特に限定されるものではなく，種々の形状，大きさ，色のものを採用することができる。
【００１８】
第２貫通孔は，第１貫通孔と同様，これを貫通するロック部材の形状ないし材質，製造方法など種々の要素を勘案したうえで，ロック部材に応じた形状ないし大きさとすればよく，特に限定されるものではない。
第２貫通孔は，典型的には，穴状とすればよく，例えば，図４（ｂ）から図４（ｄ）に示すようにピンロックガンの針を突き刺したうえでできる穴を，第２貫通孔として用いればよい。
【００１９】
袋体の開閉は，開口部に設けられたファスナーによって行われる。すなわち，スライダーのスライド操作に伴い，スライダーに設けられた開口用突起が，ファスナーにおけるフック状係合凸部もしくは解除用凸部に作用し，ファスナーの係合状態のオンオフがなされ，袋体の開閉が行われる。
袋体の開口部においては，かかる解除用凸部を備えていることが好ましい。かかる好ましい構成によれば，スライダーの開口用突起が，解除用凸部に作用して袋体の開閉が可能となることから，開口用突起がフック状係合凸部に作用することが無くなり，フック状係合凸部の劣化による開閉不全を遅延ないし防止することができるという効果が得られる。
【００２０】
[ロック部材]
ロック部材は，第１貫通孔が第２貫通孔に合致した状態において，これらを貫通するとともに，容易に取り外しができない状態に固定される役割を果たす。ロック部材は，かかる役割を果たす限り，特に限定されるものではなく，種々の形状ないし素材のものを採用することができる。
【００２１】
ロック部材は，第１及び第２貫通孔を貫通する直線部と，直線部の両端において，第１及び第２貫通孔の通過を防止するための通過防止端部と，を備えることが好ましい。かかる好ましい構成によれば，ロック部材の形状を簡素化することが可能となり，本発明のスライダーバッグの作製コストを低減することが可能となる。
【００２２】
直線部は，直線状の部材であり，貫通するスライダーの厚みを勘案して，その長さを適宜調整することができる。一例として，スライダーの厚みが７ｍｍ程度の場合，直線部の長さは，１０ｍｍから２０ｍｍ程度の長さとすることができる。
【００２３】
通過防止端部は，第１及び第２貫通孔の通過を防止することが可能な大きさや取り外しを考慮して，その形状ないし大きさを調整することができる。一例として，図１（ｄ）や図２（ｄ）に示すような，幅を有する線状部材とすることができる。
また，通過防止端部は，それぞれ嵌合凸部，嵌合凹部として構成することができる。かかる構成によれば，ロック部材の両端部を嵌合によって固定することが可能となり，製品を陳列する際に，これを引っ掛けるなどして用いることにより，取扱性を向上させることができるという効果が得られる。このような構成としては，例えば，図５に示すような構成とすればよい。
【００２４】
＜＜III．実施の形態＞＞
以下，本発明の一実施の形態におけるスライダーバッグの構成について，図１から図４を参照しながら説明する。
【００２５】
図１は，本発明の一実施の形態におけるスライダーバッグの各構成部材を示す図（ロック前の状態），図２は，当該スライダーバッグの構成を示す図（ロック後の状態），図３は，当該スライダーバッグのスライダー単体の構成を示す拡大六面図（ただし，正面図と右側面図は省略している），図４は，当該スライダーバッグに，ピンロックガンを用いてロック部材を取り付けている様子を示す図である。なお，図３に記入された寸法の単位は［ｍｍ］である。
【００２６】
図１から図３に示すように，本実施の形態のスライダーバッグ１は，開閉可能な開口部２ａを有する袋体２と，開口部２ａに装着されたスライダー３と，を備え，スライダー３を開口部２ａに沿ってスライドさせることにより（図１の両矢印Ａ，Ｂを参照），開口部２ａを開け閉めすることが可能な構造となっている。
【００２７】
図１，図２に示すように，袋体２の開口部２ａには，スライダー３のスライド操作によって係脱するファスナー（不図示）が設けられている。
図１から図３に示すように，スライダー３は，底面が開口した中空略直方体状のスライダー本体３ａと，スライダー本体３ａの左右の開口部に形成され，袋体２のファスナーを通す凹部３ｂと，スライダー本体３ａの天板の内面に形成され，対向して近接配置されるファスナーの解除用凸部（不図示）間に入り込む開口用突起３ｃと，スライダー本体３ａの前後の内面に形成され，袋体２のファスナーを前後から狭窄して当該ファスナーを係合状態にする狭窄用突起（不図示）と，を備えている。
【００２８】
スライダー３及びファスナーを上記のような構成とすることにより，スライダー３のスライド操作によって袋体２の開口部２ａを開け閉めすることが可能となる。
【００２９】
図１から図３に示すように，スライダー３には，表面から裏面に貫通する第１貫通孔３ｅが穿設されている。また，袋体２には，表面から裏面に貫通する第２貫通孔（不図示）が形成されている。ここで，第２貫通孔は，袋体２の開口部２ａにおける開口開始側近傍（図１のスライダー３が位置している箇所辺り）に設けられている。そして，図２に示すように，袋体２に商品（例えば，スライダーバッグ）を入れ，第１貫通孔３ｅが第２貫通孔に合致した状態で両貫通孔にロック部材６を貫通させることにより，スライダー３を，袋体２の開口部２ａにおける開口開始側近傍でロックできるようにされている。
【００３０】
本実施の形態のスライダーバッグ１の構成によれば，ロック機構の解除の有無を，目視で容易に確認することができることから，商品としての完全性を担保しつつ，かつ，開封の有無を容易に判断しうる，スライダーバッグの提供が可能となる。
【００３１】
図１（ｃ），（ｄ）及び図２に示すように，ロック部材６は，第１及び第２貫通孔３ｅを貫通する直線部６ａと，直線部６ａの両端において，第１及び第２貫通孔３ｅの通過を防止するための，線状に形成された通過防止端部６ｂ，６ｃと，を備えている。そして，このような構成とすることにより，ロック部材６の形状を簡素化することが可能となり，本実施の形態のスライダーバッグ１の作製コストを低減することが可能となる。
【００３２】
図４に示すように，ロック部材６は，ピンロックガン７を用いて，スライダー３及び袋体２に取り付けられる。
具体的には，まず，図４（ａ）に示すように，ロック部材６の集合体をピンロックガン７に装填する。図４（ａ）中，参照符号７ａは針を示している。
次いで，図４（ｂ），（ｃ）に示すように，スライダー３を，袋体２の開口部２ａにおける開口開始側近傍に位置させた状態で，ピンロックガン７の針７ａを，スライダー３の第１貫通孔３ｅを通して袋体２に突き刺す。このとき袋体２にできる穴が，第２貫通孔として用いられる。
最後に，図４（ｄ）に示すように，ピンロックガン７のレバーを把握して１本のロック部材６を打ち込む。これにより，ロック部材６が第１及び第２貫通孔３ｅを貫通した状態で取り付けられ，図４（ｅ），（ｆ）に示すように，スライダー３が，袋体２の開口部２ａにおける開口開始側近傍でロックされた状態となる。
なお，ロック状態を解除する場合には，図４（ｆ）の手前側の通過防止端部（幅のある部分）６ｃを手でもって引き抜くことにより，反対側の通過防止端部（線状の部分）６ｂがちぎればよい。直線部６ａをハサミやカッターなどで切ってもよい。
【００３３】
なお，本実施の形態においては，ロック部材６が，第１及び第２貫通孔３ｅを貫通する直線部６ａと，直線部６ａの両端において，第１及び第２貫通孔３ｅの通過を防止するための，線状に形成された通過防止端部６ｂ，６ｃと，を備えている場合を例に挙げて説明したが，本発明は必ずしもかかる構成に限定されるものではない。
例えば図５に示すように，ロック部材８は，第１及び第２貫通孔３ｅを貫通する直線部８ａと，直線部８ａの両端において，第１及び第２貫通孔３ｅの通過を防止するための通過防止端部８ｂ，８ｃと，を備え，通過防止端部８ｂ，８ｃが，それぞれ嵌合凸部，嵌合凹部として構成されていてもよい。かかる構成のロック部材８を用いれば，ロック部材の両端部を嵌合によって固定することが可能となり，製品を陳列する際に，これを引っ掛けるなどして用いることにより，取扱性を向上させることができる。
【符号の説明】
【００３４】
１  スライダーバッグ
２  袋体
２ａ  開口部
３  スライダー
３ａ  スライダー本体
３ｂ  凹部
３ｃ  開口用突起
３ｅ  第１貫通孔
６，８  ロック部材
６ａ，８ａ  直線部
６ｂ，６ｃ，８ｂ，８ｃ  通過防止端部
７  ピンロックガン
７ａ  針
【図１】
2019126448.tif 000003
【図２】
2019126448.tif 000004
【図３】
2019126448.tif 000005
【図４】
2019126448.tif 000006
【図５】
2019126448.tif 000007